(57)【要約】【課題】マイクおよびレシーバを有するイヤーセット本体に、イヤーフックが取り付けられてなるイヤーセットにおいて、非装着時にはこれをコンパクトな構成とした上で、装着時にはそのマイクおよびレシーバを最適な位置に配置可能とする。【解決手段】イヤーセット本体１２を、マイクを収容する第１ケーシング部２２と、そのマイク収容位置から所定方向に離れた位置において該所定方向に対して直交する方向へ突出する軸状連結部２４と、この軸状連結部２４の先端部に、レシーバを収容した状態で固定された第２ケーシング部２６とを備えた構成とする。一方、イヤーフック１４は、その先端近傍部位１４ａが略Ｃ字形に延びるように形成された構成とし、そのイヤーセット本体１２への取付けを、該イヤーフック１４の基端部１４ｃにおいて軸状連結部２４に対して該軸状連結部２４まわりに回動可能な態様で行う。【選択図】図５
2007208523.tif 000002
【特許請求の範囲】
【請求項１】
マイクおよびレシーバを有するイヤーセット本体と、このイヤーセット本体に取り付けられたイヤーフックと、を備えてなるイヤーセットにおいて、
上記イヤーセット本体が、上記マイクを収容する第１ケーシング部と、この第１ケーシング部における上記マイクの収容位置から所定方向に離れた位置において該所定方向と直交する方向へ突出する軸状連結部と、この軸状連結部の先端部に、上記レシーバを収容した状態で固定された第２ケーシング部とを備えてなり、
上記イヤーフックの先端近傍部位が、上記軸状連結部の突出方向と略直交する平面内において略Ｃ字形に延びるように形成されており、このイヤーフックの上記イヤーセット本体への取付けが、該イヤーフックの基端部において上記軸状連結部に対して該軸状連結部まわりに回動可能な態様で行われている、ことを特徴とするイヤーセット。
【請求項２】
上記イヤーフックの上記イヤーセット本体への取付けが、上記軸状連結部に対して着脱可能な態様で行われている、ことを特徴とする請求項１記載のイヤーセット。
【請求項３】
上記第１ケーシング部における上記マイクの収容位置に、上記軸状連結部の突出方向と同じ方向へ向けて膨出する膨出部が形成されている、ことを特徴とする請求項１または２記載のイヤーセット。
【請求項４】
上記イヤーフックの先端部が、大径球状部として形成されている、ことを特徴とする請求項１〜３いずれか記載のイヤーセット。
【発明の詳細な説明】
【技術分野】
【０００１】
本願発明は、マイクおよびレシーバを有するイヤーセット本体に、イヤーフックが取り付けられてなるイヤーセットに関するものである。
【背景技術】
【０００２】
イヤーセットは、耳掛け式の携帯情報機器であって、いわゆるブルートゥース等の無線通信技術を利用した携帯情報機器等の用途に適した構成となっている。
【０００３】
このイヤーセットは、例えば「特許文献１」や「特許文献２」に記載されているように、マイクおよびレシーバを有するイヤーセット本体と、このイヤーセット本体に取り付けられたイヤーフックとを備えた構成となっている。
【０００４】
その際、これら「特許文献１」および「特許文献２」に記載されたイヤーセットは、そのイヤーセット本体が略円形形状に形成されており、このイヤーセット本体の外周縁に略沿うようにしてイヤーフックが延びている。
【０００５】
【特許文献１】特開２００１−３４６２８７号公報
【特許文献１】特表２００３−５３３１３５号公報
【発明の開示】
【発明が解決しようとする課題】
【０００６】
上記「特許文献１」および「特許文献２」に記載されたイヤーセットは、そのイヤーフックがイヤーセット本体の外周縁に略沿うようにして延びているので、これをコンパクトに構成することが可能であるが、次のような問題がある。
【０００７】
すなわち、ユーザがイヤーセットを装着した際の、そのマイクとレシーバとの最適な位置関係は、ユーザ間で頭部の骨格構造が互いに異なることから、各ユーザ毎に微妙に異なったものとなる。
【０００８】
しかしながら、上記「特許文献１」および「特許文献２」に記載されたイヤーセットにおいては、イヤーフックの基端部がイヤーセット本体に固定された構成となっているので、イヤーフックを耳に掛けたときに、イヤーセット本体のマイクおよびレシーバの位置も一律に固定されてしまうこととなる。このため、これらマイクおよびレシーバを最適な位置に配置することができない、という問題がある。
【０００９】
本願発明は、このような事情に鑑みてなされたものであって、マイクおよびレシーバを有するイヤーセット本体に、イヤーフックが取り付けられてなるイヤーセットにおいて、非装着時にはこれをコンパクトな構成とした上で、装着時にはそのマイクおよびレシーバを最適な位置に配置することができるイヤーセットを提供することを目的とするものである。
【課題を解決するための手段】
【００１０】
本願発明は、イヤーセット本体の構成およびこれに対するイヤーフックの取付構造に工夫を施すことにより、上記目的達成を図るようにしたものである。
【００１１】
すなわち、本願発明に係るイヤーセットは、
マイクおよびレシーバを有するイヤーセット本体と、このイヤーセット本体に取り付けられたイヤーフックと、を備えてなるイヤーセットにおいて、
上記イヤーセット本体が、上記マイクを収容する第１ケーシング部と、この第１ケーシング部における上記マイクの収容位置から所定方向に離れた位置において該所定方向と直交する方向へ突出する軸状連結部と、この軸状連結部の先端部に、上記レシーバを収容した状態で固定された第２ケーシング部とを備えてなり、
上記イヤーフックの先端近傍部位が、上記軸状連結部の突出方向と略直交する平面内において略Ｃ字形に延びるように形成されており、このイヤーフックの上記イヤーセット本体への取付けが、該イヤーフックの基端部において上記軸状連結部に対して該軸状連結部まわりに回動可能な態様で行われている、ことを特徴とするものである。
【００１２】
上記「第１ケーシング部」は、マイクを収容するように構成され、かつ、このマイクの収容位置から所定方向に離れた位置において該所定方向と直交する方向へ軸状連結部が突出し得るサイズを有するものであれば、その具体的な形状やサイズ等は特に限定されるものではない。
【００１３】
上記「所定方向」という用語は、第１ケーシング部におけるマイクの収容位置と軸状連結部との位置関係および軸状連結部の突出方向を明確にするために用いた用語であって、この「所定方向」が特定の方向を意味しているわけではない。
【００１４】
上記「イヤーフック」は、その先端近傍部位が、軸状連結部の突出方向と略直交する平面内において略Ｃ字形に延びるように形成されたものであれば、その断面形状等の具体的な構成は特に限定されるものではない。
【発明の効果】
【００１５】
上記構成に示すように、本願発明に係るイヤーセットは、そのイヤーセット本体が、マイクを収容する第１ケーシング部と、この第１ケーシング部におけるマイクの収容位置から所定方向に離れた位置において該所定方向と直交する方向へ突出する軸状連結部と、この軸状連結部の先端部に、レシーバを収容した状態で固定された第２ケーシング部とを備えた構成となっており、また、このイヤーセット本体に取り付けられたイヤーフックは、その先端近傍部位が、軸状連結部の突出方向と略直交する平面内において略Ｃ字形に延びるように形成されており、このイヤーフックのイヤーセット本体への取付けが、該イヤーフックの基端部において第１ケーシング部の軸状連結部に対して該軸状連結部まわりに回動可能な態様で行われているので、次のような作用効果を得ることができる。
【００１６】
すなわち、レシーバを収容する第２ケーシング部を、ユーザの外耳道（すなわち耳の孔）の入り口部分に押し当てたとき、第１ケーシング部は、その軸状連結部が外耳道と略同じ方向に延びた状態で配置されることとなるので、この状態で、イヤーフックを軸状連結部まわりに耳（正確には耳介または耳殻）の前方側から上向きに回動させることにより、その先端近傍部位を耳の上部に掛けることができる。そして、この状態から、第１ケーシング部をその軸状連結部まわりに適当な角度位置まで回動させることにより、この第１ケーシング部に収容されたマイクを、最適な位置（例えば集音効果が最も高くなる位置）に配置することができる。しかも、このとき、第１ケーシング部の回動により第２ケーシング部も同時に回動することとなるので、この回動により第２ケーシング部を外耳道の入り口部分の形状に十分馴染ませることができる。
【００１７】
一方、イヤーセットを装着しないときには、そのイヤーフックを軸状連結部まわりに第１ケーシング部と重複する角度位置まで回動させるようにすれば、イヤーセットをコンパクトな構成とすることができる。また、このとき、第１ケーシング部とイヤーフックとの間の隙間を利用して、イヤーセットを衣類等（例えばシャツのポケット等）にクリップすることができる。
【００１８】
このように本願発明によれば、マイクおよびレシーバを有するイヤーセット本体に、イヤーフックが取り付けられてなるイヤーセットにおいて、非装着時にはこれをコンパクトな構成とした上で、装着時にはそのマイクおよびレシーバを最適な位置に配置することができる。
【００１９】
上記構成において、イヤーフックのイヤーセット本体への取付けが、軸状連結部に対して着脱可能な態様で行われる構成とすれば、イヤーフックを表裏反転させた状態で軸状連結部に取り付けることが可能となり、これによりイヤーセットを左耳用と右耳用とで兼用することができる。その際、イヤーフックを軸状連結部に対して着脱可能に取り付けるための具体的な構成については、特定の構成に限定されるものではない。
【００２０】
上記構成において、第１ケーシング部におけるマイクの収容位置に、軸状連結部の突出方向と同じ方向へ向けて膨出する膨出部が形成された構成とすれば、次のような作用効果を得ることができる。
【００２１】
すなわち、イヤーフックが第１ケーシング部と重複する角度位置まで回動した状態にあるイヤーセットを、その第１ケーシング部とイヤーフックとの間の隙間を利用して衣類等にクリップしたとき、この衣類等を第１ケーシング部の膨出部とイヤーフックとで確実に挟み込むようにすることが可能となり、これによりイヤーセットの落下防止を図ることができる。
【００２２】
上記構成において、イヤーフックの先端部が、大径球状部として形成された構成とすれば、イヤーフックを軸状連結部まわりに回動させてその先端近傍部位を耳の上部に掛けたときに、その大径球状部を耳介結節（すなわち耳の背面上部の窪んでいる部分）に押し当てて位置決めすることができ、これによりイヤーフックの係止を確実に行うことができる。
【発明を実施するための最良の形態】
【００２３】
以下、図面を用いて、本願発明の実施の形態について説明する。
【００２４】
図１は、本願発明の一実施形態に係るイヤーセット１０を示す正面図である。そして、図２は、図１のII方向矢視図であり、図３は、図２のIII 方向矢視図である。また、図４は、このイヤーセット１０を示す斜視図である。
【００２５】
これらの図に示すように、本実施形態に係るイヤーセット１０は、マイク３２およびレシーバ３４を有するイヤーセット本体１２と、このイヤーセット本体１２に取り付けられたイヤーフック１４とからなっている。
【００２６】
以下の説明では、イヤーセット１０が図１に示す姿勢で配置されているものとして説明する。
【００２７】
このイヤーセット１０のイヤーセット本体１２は、上下方向に延びる第１ケーシング部２２と、この第１ケーシング部２２の上端部において該第１ケーシング部２２の背面側へ突出する軸状連結部２４と、この軸状連結部２４の先端部に固定された第２ケーシング部２６とを備えた構成となっている。
【００２８】
第１ケーシング部２２は、合成樹脂製であって、正面側ハーフ２２Ａと背面側ハーフ２２Ｂとドーム状キャップ２２Ｃとからなっている。その際、正面側ハーフ２２Ａと背面側ハーフ２２Ｂとは、互いに組み付けられて、略矩形状断面で上下方向に延びるレバーを構成している。ドーム状キャップ２２Ｃは、正面側へ向けて略半球状に突出するように形成されており、正面側ハーフ２２Ａの上部に着脱可能に取り付けられるようになっている。
【００２９】
この第１ケーシング部２２は、正面視において、その上部が円形形状に形成されており、その中間部が左右幅一定で形成されており、その下部が下方へ向けて左右幅が徐々に狭まるようテーパ部として形成されている。その際、この第１ケーシング部２２は、４６ｍｍ程度の全長を有しており、その左右幅および奥行き幅は、その中間部において各々１５ｍｍ程度、８ｍｍ程度の値に設定されている。
【００３０】
この第１ケーシング部２２の上部には、バッテリ３６が収容されている。このバッテリ３６は、ドーム状キャップ２２Ｃの着脱により交換し得るようになっている。すなわち、このドーム状キャップ２２Ｃは、第１ケーシング部２２の本体部分に対して螺合しており、その着脱は、ドーム状キャップ２２Ｃを回転させることにより行われるようになっている。その際、このドーム状キャップ２２Ｃの外面には、その略上半部に３つの帯状凹部２２ａが９０°間隔で放射状に形成されており、これによりドーム状キャップ２２Ｃを着脱する際の回転を容易に行い得るようにするとともに、イヤーセット本体１２全体を回動させる際の操作についてもこれを容易に行い得るようにする構成となっている。
【００３１】
第１ケーシング部２２の中間部には、プリント配線基板３８が、バッテリ３６と電気的に接続されるようにして収容されている。また、この中間部の側面壁には矩形状開口部が形成されており、この矩形状開口部には、電源スイッチ４０がプリント配線基板３８と電気的に接続されるようにして配置されている。
【００３２】
第１ケーシング部２２のテーパ部には、その下端近傍位置に、上記マイク３２が、プリント配線基板３８と電気的に接続されるようにして収容されている。また、このテーパ部の背面壁において、マイク３２の収容位置の背面側に位置する部分には、背面側へ向けて（すなわち軸状連結部２４の突出方向と同じ方向へ向けて）膨出する膨出部２２ｂが形成されている。その際、この膨出部２２ｂは、第１ケーシング部２２における他の部分よりも背面側へ１ｍｍ程度突出するように形成されている。さらに、このテーパ部の背面壁における膨出部２２ｂの下方近傍に位置する部分には、集音用開口部２２ｃが形成されている。
【００３３】
軸状連結部２４は、外径が４ｍｍ程度で内径が２ｍｍ程度のボスとして構成されており、第１ケーシング部２２の背面側ハーフ２２Ｂと一体で形成されている。そして、この軸状連結部２４は、その先端部に第２ケーシング部２６が取り付けられたときに、第１および第２ケーシング部２２、２６間の軸長が４ｍｍ程度となるように構成されている。
【００３４】
第２ケーシング部２６は、合成樹脂製であって、正面側ハーフ２６Ａと背面側ハーフ２６Ｂとが組み付けられてなり、正面視において円形形状を有している。その際、この第２ケーシング部２６の外径は、ドーム状キャップ２２Ｃの外径よりも僅かに小さい１６ｍｍ程度の値に設定されている。そして、この第２ケーシング部２６の内部には、上記レシーバ３４が、プリント配線基板３８と電気的に接続されるようにして収容されている。このレシーバ３４とプリント配線基板３８との電気的な接続は、軸状連結部２４の筒状空間に配線を通すようにして行われている。
【００３５】
正面側ハーフ２６Ａは、正面側へ向けて略円錐状に突出するように形成されており、その中央部において軸状連結部２４の先端部に圧入あるいは溶着等により固定されている。この正面側ハーフ２６Ａの上部には、調圧孔２６ａが形成されている。一方、背面側ハーフ２６Ｂは、その中央部が平面状に形成されるとともに、その周縁部が円環曲面状に形成されており、その中央部のやや下方寄りの位置には放音孔２６ｂが形成されている。
【００３６】
イヤーフック１４は、合成樹脂製であって、その先端近傍部位１４ａが正面視において（すなわち軸状連結部２４の突出方向と直交する平面内において）略Ｃ字形に延びるように形成されており、全体としては略「？」字形状を有している。その際、このイヤーフック１４は、その一般部が直径３ｍｍ程度の一定径の円形断面で形成されており、その先端部が大径球状部１４ｂとして直径６ｍｍ程度の球形状で形成されている。
【００３７】
そして、このイヤーフック１４のイヤーセット本体１２への取付けは、該イヤーフック１４の基端部１４ｃにおいて、イヤーセット本体１２の軸状連結部２４に対して、該軸状連結部２４まわりに回動可能な態様で行われている、これを実現するため、このイヤーフック１４の基端部１４ｃは、正面視においてＣ字管状に形成されており、その切欠き部分が拡がるように弾性変形して軸状連結部２４に嵌め込まれるようになっている。
【００３８】
その際、この基端部１４ｃは、その管長が４ｍｍ弱程度の値に設定されており、その内径は４ｍｍ程度の値に設定されている。そしてこれにより、イヤーフック１４を、軸状連結部２４に対して回動可能な構成とした上で、これを軸状連結部２４との摩擦により任意の回動角度位置で静止状態に維持し得るようになっている。
【００３９】
また、このイヤーフック１４は、図３において２点鎖線で示す位置まで反時計まわりに回動したとき、その大径球状部１４ｂが、イヤーセット本体１２の第１ケーシング部２２に当接して、イヤーフック１４を２点鎖線で示す位置に位置決めするようになっている。そしてこのとき、イヤーフック１４の先端近傍部位１４ａが、第１ケーシング部２２の膨出部２２ｂに接触して僅かに背面側に弾性変形するようになっている。
【００４０】
次に、本実施形態の作用効果について説明する。
【００４１】
図５は、ユーザが、その右耳２にイヤーセット１０を装着する際の様子を示す図である。
【００４２】
まず、同図（ａ）に示すように、イヤーセット１０のイヤーセット本体１２を手にとって、その第２ケーシング部２６を、右耳２の外耳道の入り口部分に押し当てる。その際、この第２ケーシング部２６は、その背面側ハーフ２６Ｂの周縁部が円環曲面状に形成されているので、外耳道の入り口部分の形状に馴染ませることができる。
【００４３】
この第２ケーシング部２６を右耳２の外耳道の入り口部分に押し当てたとき、軸状連結部２４は外耳道と略同じ方向に延びた状態となる。その際、イヤーフック１４は、図中２点鎖線で示すように、予め軸状連結部２４まわりに右耳２の前方側の位置まで回動させておき、イヤーセット本体１２を装着する際の邪魔にならないようにする。
【００４４】
そして、この右耳２の前方側にあるイヤーフック１４を、図中矢印で示すように、軸状連結部２４まわりに上向きに回動させることにより、その先端近傍部位１４ａを右耳２の上部に掛ける。その際、イヤーフック１４は、その先端部が大径球状部１４ｂとして形成されているので、その先端近傍部位１４ａを右耳２の上部に掛けたとき、その大径球状部１４ｂが耳介結節２ａの凹部に入り込み、これによりイヤーフック１４の係止が確実に行われることとなる。
【００４５】
次に、同図（ｂ）に示すように、イヤーセット本体１２の第１ケーシング部２２を、その軸状連結部２４まわりに適当な角度位置まで回動させる。これにより、この第１ケーシング部２２に収容されたマイク３２を、最適な位置（例えば集音効果が最も高くなるようにユーザの口４に近づけた位置）に配置する。
【００４６】
この第１ケーシング部２２の回動により、第２ケーシング部２６も同時に回動するので、この第２ケーシング部２６を外耳道の入り口部分の形状に十分馴染ませることができる。その際、第１ケーシング部２２を何度か往復回動させるようにすれば、第２ケーシング部２６の馴染みをさらに向上させることができる。
【００４７】
一方、イヤーセット１０を装着しないときには、そのイヤーフック１４を軸状連結部２４まわりに第１ケーシング部２２と重複する角度位置まで回動させるようにすれば、イヤーセット１０をコンパクトな構成とすることができる。また、このとき、第１ケーシング部２２とイヤーフック１４との間の隙間を利用して、イヤーセット１０を衣類等（例えばシャツのポケット等）にクリップすることができる。
【００４８】
このように本実施形態によれば、マイク３２およびレシーバ３４を有するイヤーセット本体１２に、イヤーフック１４が取り付けられてなるイヤーセット１０において、非装着時にはこれをコンパクトな構成とした上で、装着時にはそのマイク３２およびレシーバ３４を最適な位置に配置することができる。
【００４９】
しかも、本実施形態に係るイヤーセット１０は、そのイヤーフック１４のイヤーセット本体１２への取付けが、軸状連結部２４に対して着脱可能な態様で行われるように構成されているので、イヤーフック１４を表裏反転させた状態で軸状連結部２４に取り付けることが可能となり、これによりイヤーセット１０を左耳用としても利用することができる。その際、イヤーフック１４の基端部１４ｃは、正面視においてＣ字管状に構成されており、その切欠き部が拡がるように弾性変形して軸状連結部２４に嵌め込まれるようになっているので、イヤーフック１４の着脱を容易に行うことができる。
【００５０】
また、本実施形態に係るイヤーセット１０は、そのイヤーフック１４が、軸状連結部２４に対して任意の回動角度位置で静止状態に維持されるようになっているので、イヤーフック１４が不用意に回動してしまうのを防止することができ、これによりイヤーセット１０の取扱いを容易なものとすることができる。
【００５１】
さらに、本実施形態に係るイヤーセット１０は、その第１ケーシング部２２の背面壁におけるマイク３２の収容位置の背面側に位置する部分に、背面側へ膨出する膨出部２２ｂが形成されているので、イヤーフック１４が第１ケーシング部２２と重複する角度位置まで回動した状態にあるイヤーセット１０を、その第１ケーシング部２２とイヤーフック１４との間の隙間を利用して衣類等にクリップしたとき、この衣類等を第１ケーシング部２２の膨出部２２ｂとイヤーフック１４の先端近傍部位１４ａとで確実に挟み込むようにすることが可能となり、これによりイヤーセット１０の落下防止を図ることができる。
【００５２】
その際、第１ケーシング部２２の膨出部２２ｂは、図２に示すように、イヤーフック１４が第１ケーシング部２２と重複する角度位置まで回動したとき、その先端近傍部位１４ａに接触し、これによりイヤーフック１４を僅かに背面側に弾性変形させるようになっているので、衣類等へのクリップ効果を十分に確保することができ、イヤーセット１０の落下防止を確実に図ることができる。
【００５３】
また、このイヤーフック１４は、図３において２点鎖線で示す位置まで反時計まわりに回動したとき、その大径球状部１４ｂがイヤーセット本体１２の第１ケーシング部２２に当接してイヤーフック１４を２点鎖線で示す位置に位置決めするようになっているので、イヤーセット１０の非装着時に、イヤーフック１４を最適な角度位置まで容易に回動させることができる。
【００５４】
さらに、本実施形態に係るイヤーセット１０は、そのイヤーセット本体１２の第１ケーシング部２２が、テーパ部を有する略帯板形状に形成されているので、イヤーセット本体１２を回動させる際のレバーとしての操作性を高めることができる。ただし、この第１ケーシング部２２として、これ以外の形状（例えば円板形状や略楕円板形状等）を有する構成とすることも可能である。
【００５５】
なお、上記実施形態において諸元として示した数値は一例にすぎず、これらを適宜異なる値に設定してもよいことはもちろんである。
【図面の簡単な説明】
【００５６】
【図１】本願発明の一実施形態に係るイヤーセットを示す正面図
【図２】図１のII方向矢視図
【図３】図２のIII 方向矢視図
【図４】上記イヤーセットを示す斜視図
【図５】ユーザがその右耳に上記イヤーセットを装着する際の様子を示す図
【符号の説明】
【００５７】
２  右耳
２ａ  耳介結節
４  口
１０  イヤーセット
１２  イヤーセット本体
１４  イヤーフック
１４ａ  先端近傍部位
１４ｂ  大径球状部
１４ｃ  基端部
２２  第１ケーシング部
２２Ａ  正面側ハーフ
２２Ｂ  背面側ハーフ
２２Ｃ  ドーム状キャップ
２２ａ  帯状凹部
２２ｂ  膨出部
２２ｃ  集音用開口部
２４  軸状連結部
２６  第２ケーシング部
２６Ａ  正面側ハーフ
２６Ｂ  背面側ハーフ
２６ａ  調圧孔
２６ｂ  放音孔
３２  マイク
３４  レシーバ
３６  バッテリ
３８  プリント配線基板
４０  電源スイッチ
【図１】
2007208523.tif 000003
【図２】
2007208523.tif 000004
【図３】
2007208523.tif 000005
【図４】
2007208523.tif 000006
【図５】
2007208523.tif 000007